(57)【要約】【課題】曲面で構成されたメーターフード上や、昨今のダッシュボード形状がメーターフードを含めて曲面を多用した車両でも、安定して確実に載置することのできる自動車用トレイを提供する。【解決手段】柔軟性を有する素材でベースプレートと該ベースプレートの周囲に複数の切欠部を備えた周壁とから本体を構成して、ダッシュボード上や、メーターフード上などの載置面の曲面に載置したとき、曲面によく馴染んでベースプレートと取り付け面との間の空きを生じることなく安定して確実に載置をすることを可能とした。【選択図】図１
0003177941.tif 000002
【実用新案登録請求の範囲】
【請求項１】
柔軟性を有する素材からなり、ベースプレートと該ベースプレートの周囲に立設された周壁とから本体を構成し、該周壁に複数の切欠部を備えたことを特徴とする自動車用トレイ。
【請求項２】
該ベースプレートに該ベースプレートの厚み方向に貫通するように開口したスリットを備えたことを特徴とする請求項１に記載の自動車用トレイ。
【請求項３】
該本体は、シリコーン素材から形成されていることを特徴とする請求項１又は請求項２に記載の自動車用トレイ。
【考案の詳細な説明】
【技術分野】
【０００１】
本考案は、自動車用のトレイに関し、特に曲面で構成されたダッシュボードやメーターフードの上に載置して、スマートフォン、携帯電話、眼鏡などの小物類を置くためのトレイに関する。
【背景技術】
【０００２】
従来、自動車のダッシュボード上に載置して、スマートフォン、携帯電話、眼鏡などの小物類を置くためのトレイが知られている。例えば意匠登録第１２９９２１８号公報（特許文献１）の自動車用小物入れがある。図６はこのような従来のトレイ（小物入れ）の取り付け状態を示す説明図である。このような従来のトレイ（１１）は、ダッシュボード上に載置したときにトレイ（１１）の底面とダッシュボード面との間に空きができずに安定して載置できるように、トレイ（１１−ａ）のように比較的平らな面を選んで載置される。ダッシュボード上における比較的平らな面とは、助手席の前方あたりであって、運転席の前方、すなわちメーターフード（２）の上は、特に曲面で構成されることが多く、トレイ（１１を載置したとしてもトレイ（１１−ｂ）のように底面の両端に空きが生じ安定して確実に載置をすることができない。運転者にとっては目の前のメーターフード上にトレイが載置してあれば極めて使い勝手が良いにもかかわらず前記した状況により助手席前方への取り付けを余儀なくされている。
【０００３】
また、昨今の新型車両のダッシュボードはメーターフードを含めて曲面を多用した形状が主流を占めているため、前記したようなトレイはダッシュボード上の位置にかかわらず載置しづらい状況となっている。
【先行技術文献】
【特許文献】
【０００４】
【特許文献１】意匠登録第１２９９２１８号公報
【考案の概要】
【考案が解決しようとする課題】
【０００５】
従来のトレイは、ダッシュボード上における面が比較的平らである場合に限って安定して確実に載置が可能であって、運転者にとって使い勝手に優れるメーターフード上の面は曲面であるために確実な載置をすることができない。また、昨今のダッシュボード形状がメーターフードを含めて曲面を多用した車両にあっては、もはやダッシュボード上への載置が困難である。
【０００６】
そこで本考案は、かかる課題を考慮し曲面で構成されたメーターフード上や、昨今のダッシュボード形状がメーターフードを含めて曲面を多用した車両でも、安定して確実に載置することのできる自動車用トレイを提供することを目的としている。
【課題を解決するための手段】
【０００７】
かかる課題を解決するために、本考案の請求項１によれば、柔軟性を有する素材からなり、ベースプレートと該ベースプレートの周囲に立設された周壁とから本体を構成し、該周壁に複数の切欠部を備えたことで解決される。
【０００８】
また、本考案の請求項２によれば、該ベースプレートに該ベースプレートの厚み方向に貫通するように開口したスリットを備えたことで解決される。
【０００９】
また、本考案の請求項３によれば、該本体は、シリコーン素材から形成されていることで解決される。
【考案の効果】
【００１０】
本考案の請求項１によれば、柔軟性を有する素材からなり、ベースプレートと該ベースプレートの周囲に立設された周壁とから本体を構成し、該周壁に複数の切欠部を備えたので、ダッシュボード上や、メーターフード上などの載置面の曲面に載置したとき、本体の周壁に備えられた複数の切欠部によってベースプレートが柔軟に曲面に追従し、ベースプレートとダッシュボード面などの載置面との間の空きを生じることなく安定して確実に載置をすることを実現した。
【００１１】
本考案の請求項２によれば、該ベースプレートに該ベースプレートの厚み方向に貫通するように開口したスリットを備えたので、ベースプレートの柔軟性がより向上し、より曲率の小さいダッシュボード上や、メーターフード上などの載置面の曲面に追従し、ベースプレートとダッシュボード面との間の空きを生じることなく安定して確実に載置をすることを実現した。
【００１２】
本考案の請求項３によれば、該本体をシリコーン素材から形成したので、シリコーン素材が有する高い柔軟性と吸着性（弱い粘着性）によって、ダッシュボード上やメーターフード上などの載置面の曲面に対して接着剤などの止着手段を用いることなく吸着固定することができる。同様に置いた小物に対しても吸着性により優れた滑り止め効果を得ることができる。
【図面の簡単な説明】
【００１３】
【図１】自動車用トレイの第１実施例の説明図である。
【図２】第１実施例の取り付け状態を示す説明図である。
【図３】自動車用トレイの第２実施例の説明図である。
【図４】自動車用トレイの第２実施例の説明図である。
【図５】第２実施例の取り付け状態を示す説明図である。
【図６】従来のトレイの取り付け状態を示す説明図である。
【考案を実施するための形態】
【００１４】
柔軟性を有する素材でベースプレートと該ベースプレートの周囲に複数の切欠部を備えた周壁とから本体を構成したので、ダッシュボード上や、メーターフード上などの載置面の曲面に載置したとき、曲面によく馴染んでベースプレートと取り付け面との間の空きを生じることなく安定して確実に載置をすることができる。
【実施例１】
【００１５】
以下、本考案の第１実施例について、図面を参照して詳細に説明する。図１は、本考案の自動車用トレイの第１実施例の説明図である。本体（１）は、樹脂材、布地など柔軟性を有する素材からなり、ベースプレート（１ａ）と該ベースプレート（１ａ）の周囲に立設された周壁（１ｂ）とから本体（１）を構成し、該周壁（１ｂ）に複数の切欠部（１ｃ）を備えて構成した。
【００１６】
図２は、第１実施例の取り付け状態を示す説明図である。ダッシュボード上や、メーターフード上などの載置面の曲面に載置したとき、本体（１）の周壁（１ｂ）に備えられた複数の切欠部（１ｃ）によってベースプレート（１ａ）が載置面の曲面に追従して柔軟に曲がるようになる。その結果、図２に示されるようにベースプレート（１ａ）と載置面との間に空きが生じることなく安定して確実に載置をすることを実現した。なお、載置面の曲面はメーターフード（２）上部のように上方に向かって膨らんでいたり凹んでいたりするが、本考案の本体（１）は何れにも対応することが可能である。
【実施例２】
【００１７】
以下、本考案の第２の実施例について図面を参照して詳細に説明する。第２の実施例においては、実施例１で説明した本体（１）の該ベースプレート（１ａ）にスリット（１ｄ）を備えて構成した。
【００１８】
図３及び図４は、自動車用トレイの第２実施例の説明図である。ベースプレート（１ａ）に備えられたスリット（１ｄ）は、ベースプレート（１ａ）の厚み方向に貫通するように開口して備えられている。図３は、平面視略４角形に形成されたベースプレート（１ａ）の対角線上にＸ字状にスリット（１ｄ）を備えた。図４においては、平面視略４角形に形成されたベースプレート（１ａ）の長手方向に直線状のスリット（１ｄ）を備えた。
【００１９】
図５は、第２実施例の取り付け状態を示す説明図でメーターフード（２）を側面から見た状態を示している。図５に示されるようにメーターフード（２）は側面視においても曲面で構成され、図２に示されたメーターフード（２）の正面視の曲面よりも曲率が小さい状態を示している。このような場合、本体（１）をメーターフード（２）に載置したときに、ベースプレート（１ａ）の厚み方向を貫通して開口したスリット（１ｄ）の部分が長手方向で折れ曲がる作用を有すことによって、載置面の曲率が小さい場合であっても、ベースプレート（１ａ）が載置面の曲面に追従してより柔軟に曲がるようになる。その結果、図２及び図５に示されるようにベースプレート（１ａ）と載置面との間に空きが生じることなく安定して確実に載置をすることを実現した。
【００２０】
なお、ベースプレート（１ａ）に開口して備えられたスリット（１ｄ）の態様は図３及び図４の形状や数に限定されるものではなく、例えば図２のＸ字状に開口したものを＋字状、Ｚ字状にしてもよく、これらを縮小して柄のように配設してもよい。また、図４の直線状に開口したものを波線状、山状に配設してもよく、これらを複数並列に配設しても差し支えない。
【実施例３】
【００２１】
以下、本考案の第３の実施例について図面を参照して詳細に説明する。第３の実施例においては、該本体（１）をシリコーン素材から形成した。シリコーン素材はその特性として、高い柔軟性と吸着性（弱い粘着性）を有する。この特性によって、ダッシュボード上やメーターフード上などの載置面の曲面に対して接着剤などの止着手段を用いることなく吸着固定することができるとともに、置いた小物に対してもその吸着性に優れた滑り止め効果を得ることができ、実施例１及び実施例２の効果と互いに作用し合うことで極めて使い勝手に優れた自動車用トレイを提供することを実現した。
【符号の説明】
【００２２】
１    本体
１ａ  ベースプレート
１ｂ  周壁
１ｃ  切欠部
１ｄ  スリット
２    メーターフード
１１  トレイ
【図１】
0003177941.tif 000003
【図２】
0003177941.tif 000004
【図３】
0003177941.tif 000005
【図４】
0003177941.tif 000006
【図５】
0003177941.tif 000007
【図６】
0003177941.tif 000008